【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  組織サンプルを穿刺してこれを貯蔵するようになったスタイレット及び組織サンプルを切断してこれを捕捉するようになったカニューレを有する針セット組立体を受け入れることができる生検用握りであって、
針セットを受け入れるようになったハウジングと、
ハウジングに摺動自在に取り付けられていて、スタイレット及びカニューレをハウジングに対して選択的に位置決めするようになったアクチュエータとを有し、
前記アクチュエータは、ユーザの片手を用いてスタイレット及びカニューレをハウジングに対して動かすためにアクチュエータをハウジングに対して前後の方向に摺動させることができるようになった要素を有していることを特徴とする生検用握り。
【請求項２】  前記アクチュエータは、前記ハウジングに摺動自在に取り付けられたベースを有し、
前記アクチュエータの前記要素は、前記アクチュエータの前記摺動可能なベースからの突起を有し、前記突起は、第１の側部及び第２の側部を有し、第１及び第２の側部は、ユーザの片手で押圧されるようになっており、第１の側部を押圧してアクチュエータを前方に動かし、第２の側部を押圧してアクチュエータを後方に動かすようになっていることを特徴とする請求項１記載の生検用握り。
【請求項３】  前記アクチュエータは、スタイレットが採取することができる組織のサンプルの長さを定めるようになった部材を有していることを特徴とする請求項１記載の生検用握り。
【請求項４】  組織サンプルを穿刺してこれを貯蔵するようになったスタイレット及び組織サンプルを切断してこれを捕捉するようになったカニューレを有する針セット組立体を受け入れることができる生検用握りであって、
針セットを受け入れるようになったハウジングを有し、
前記ハウジングは、針セットを前記ハウジング内に受け入れるための開放位置から針セットをハウジング内にロックした状態で収容するための閉鎖ロック位置に動かすことができるロック用蓋を有していることを特徴とする生検用握り。
【請求項５】  前記ロック用蓋は、ハウジングの一回使用を可能にするようになっていることを特徴とする請求項４記載の生検用握り。
【請求項６】  組織サンプルを穿刺してこれを貯蔵するようになったスタイレット及び組織サンプルを切断してこれを捕捉するようになったカニューレを有する針セット組立体を受け入れることができる生検用握りであって、
針セットを受け入れるようになったハウジングと、
前記ハウジングに取り付けられていて、組織サンプル中へのスタイレットの移動深さを選択的にあらかじめ設定するようになった延長部とを有し、
前記延長部は、前記スタイレットを組織サンプル中に押し込むようになった第１の手段を有し、
前記延長部は、前記第１の手段がスタイレットを組織サンプル中に押し込んだ後、カニューレを作動するようになった第２の手段を有することを特徴とする生検用握り。
【請求項７】  前記握りは、片手で操作できるようになっていることを特徴とする請求項６記載の生検用握り。
【請求項８】  前記延長部は、組織サンプル中へのスタイレットの移動深さをあらかじめ設定するようになった調節可能な部材を有していることを特徴とする請求項６記載の生検用握り。
【請求項９】  スタイレット及びカニューレを受け入れるようになったハウジング手段と、
組織サンプル中へのスタイレットの移動深さを選択的にあらかじめ設定する位置決め手段とを有することを特徴とする生検用握り組立体。
【請求項１０】  前記位置決め手段は、組織サンプル中へのスタイレットの移動深さを選択的にあらかじめ設定するための調節可能な輪及び数値標識を有していることを特徴とする請求項９記載の生検用握り組立体。
【請求項１１】  スタイレット及びカニューレを有する針セットを受け入れるようになった生検用握りであって、
ハウジングと、
前記ハウジングに固定された第１の案内と、
前記ハウジングに固定された第２の案内と、
前記ハウジングに摺動自在に取り付けられたアクチュエータと、
前記第１の案内と連携していて、針セットのスタイレットに係合するようになった第１のピンと、
前記第２の案内と連携していて、針セットのカニューレに係合するようになった第２のピンと、
前記第２の案内及び前記第２のピンと連携するばねと、
前記第２のピンを前記第２の案内に対して且つ前記ばねに抗して押圧するために前記第２のピンと連携したプッシャ部材とを有し、
前記第１のピン及び前記プッシャ部材は前記アクチュエータとを作動的に連携していて、前記アクチュエータが前記ハウジングに対して摺動すると、前記第１のピン及び前記プッシャ部材は、前記ハウジングに対し且つそれぞれ前記第１の案内及び前記第２の案内に沿って動き、スタイレット及びカニューレを第１の操作可能な位置に押圧することを特徴とする生検用握り。
【請求項１２】  前記ハウジングは、第１のロック部材を有し、
前記第２のピンは、第２のロック部材を有し、
前記第２のピンを前記ばねに抗して押圧するようスタイレット及びカニューレが第１の操作可能な位置にある状態で、前記第１のロック部材は、前記第２のピンを前記ハウジングに対して第１の操作可能な位置にロックするために前記第２のロック部材に係合することを特徴とする請求項１１記載の生検用握り。
【請求項１３】  前記ハウジングに対するスタイレットの移動長さを調節するようになった部材を更に有することを特徴とする請求項１１記載の生検用握り。
【請求項１４】  第１の孔が設けられたスタイレットベースを備えたスタイレットと、第２の孔が設けられたカニューレベースを備えたカニューレとを有する針セットを受け入れるようになった生検用握りであって、
スタイレットとカニューレは、スタイレットベースとカニューレベースが互いに対して動くと互いに対して動くことができ、
前記生検用握りは、ハウジングと、
前記ハウジングに固定された第１及び第２の案内ロッドとを有し、
第１の案内ロッドは、前記スタイレットベースが前記第１の案内ロッドに沿って動くことができるよう前記ハウジングに隣接してスタイレットベースを受け入れるようになっており、
前記第２の案内ロッドは、前記カニューレベースが前記第２の案内ロッドに沿って動くことができるよう前記ハウジングに隣接してカニューレベースを受け入れるようになっており、
前記第１の案内ロッドと前記第２の案内ロッドは、互いに対し実質的に平行であり、
前記生検用握りは、前記ハウジングに摺動自在に取り付けられたアクチュエータと、
前記第１の案内ロッドに沿って動くことができる第１のピンと、
前記第２の案内ロッドに沿って動くことができる第２のピンとを有し、
前記第１のピンは、針セットのスタイレットベースの第１の孔に嵌まるようになっており、
前記第２のピンは、針セットのカニューレベースの第２の孔に嵌まるようになっており、
前記生検用握りは、前記第２の案内ロッド及び前記第２のピンと連携するばねと、
前記第２のピンを前記第２の案内ロッドに対して且つ前記ばねに抗して押圧するために前記第２のピンと連携したプッシャ部材とを有し、
前記第１のピン及び前記プッシャ部材は前記アクチュエータとを作動的に連携していて、前記アクチュエータが前記ハウジングに対して摺動すると、前記第１のピン及び前記プッシャ部材は、前記ハウジングに対し且つそれぞれ前記第１の案内ロッド及び前記第２の案内ロッドに沿って動き、スタイレット及びカニューレを第１の操作可能な位置に押圧することを特徴とする生検用握り。
【請求項１５】  前記ハウジングは、第１のロック部材を有し、
前記第２のピンは、第２のロック部材を有し、
前記第２のピンを前記ばねに抗して押圧するようスタイレット及びカニューレが第１の操作可能な位置にある状態で、前記第１のロック部材は、前記第２のピンを前記ハウジングに対して第１の操作可能な位置にロックするために前記第２のロック部材に係合することを特徴とする請求項１４記載の生検用握り。
【請求項１６】  前記ハウジングに対するスタイレットの移動長さを調節するようになった部材を更に有することを特徴とする請求項１４記載の生検用握り。
【請求項１７】  前記要素は、ユーザが手で掴むことができるようになった第１の突起であることを特徴とする請求項１記載の生検用握り。
【請求項１８】  前記アクチュエータは、ユーザが手で掴むことができるようになった第２の突起を有することを特徴とする請求項１７記載の生検用握り。
【請求項１９】  第１の針及び第２の針を備えた針セットを受け入れるようになったハウジングを有し、
前記ハウジングは、針セットの第１の針を押し進めるようになった第１の装置を有し、
前記ハウジングは、前記第１の装置が前記第１の針を押し進めた後、前記針セットの前記第２の針を押し進めるようになった第２の装置を有していることを特徴とする生検用握り。